(57)【要約】【課題】  ワイヤハーネスを損傷することがなくなるとともに、他の部材に衝突することがなくなることにより、品質の向上を図ることができる結束バンドの端部固定構造を提供する。【解決手段】  本発明の結束バンド１０の端部固定構造は、バンド係止部をバンド挿通孔１４内に有するロック部１１と、ロック部１１から延出され、バンド係止部に係止する係合部１５が形成されたバンド部１２と、を有し、バンド部１２によりワイヤハーネスを束ねてプロテクタ４０に固定する構造であって、プロテクタ４０の一部にロック部１１の外形に近似して凹んで形成され、バンド部１２を挿通させるバンド通し孔と、バンド通し孔の端部に配され、ワイヤハーネスへの結束に伴い係合部１５のバンド係止部への係止によりロック部１１が衝突する衝突面と、からなる保持部１６を有する。【選択図】        図１
2005160223.tif 000002
【特許請求の範囲】
【請求項１】
バンド係止部をバンド挿通孔内に有するロック部と、
前記ロック部から延出され、前記ロック部の前記バンド挿通孔内で前記バンド係止部に係合する係合部が長手方向に連続して複数形成されたバンド部と、を有し、前記バンド部によりワイヤハーネスを束ねてプロテクタに止着する結束バンドを前記プロテクタに固定する結束バンドの固定構造であって、
前記プロテクタの側壁内部が、前記ロック部を収容するロック部収容部と、前記ロック部に接続している前記バンド部の接続部を収容し、前記ロック部収容部に連通するバンド通し孔と、を備えていることを特徴とする結束バンドの固定構造。
【請求項２】
前記ロック部収容部が、前記ロック部を挿入するための開口部と、前記バンド通し孔が連通され、前記ロック部と当接する当接面と、前記開口部に突出して前記ロック部と当接する第１壁、第２壁及び第３壁と、前記ロック部の前記バンド挿通孔を露出させて、前記バンド挿通孔が設けられた前記ロック部の側面と当接する第４壁と、を備えることを特徴とする請求項１に記載した結束バンドの固定構造。
【発明の詳細な説明】
【技術分野】
【０００１】
本発明は、ワイヤハーネスをプロテクタに固定する結束バンドの端部固定構造に関する。
【背景技術】
【０００２】
従来の結束バンドの端部固定構造の一例として、結束バンド５１のロック部５８を枠壁５９上に固定するようにした結束バンドの端部固定構造が知られている（例えば、特許文献１参照）。
【０００３】
図５に示すように、特許文献１に開示された結束バンドの端部固定構造は、結束バンド５１によりワイヤハーネスをワイヤハーネス固定部５２に固定するに際し、結束バンド５１のバンド部５３を挿通孔５４内に挿通する。バンド部５３を挿通孔５４内に挿通すると、挿通孔５４の内壁の係止突起５５に係合部５６の係止突起５７が係合して、結束バンド５１の移動を規制する。結束バンド５１はロック部５８が枠壁５９に接近する方向に移動出来るが、ロック部５８が枠壁５９から離れる方向へ移動することが出来ない。また、ロック部５８が枠壁５９に当接するまで、結束バンド５１のバンド部５３を挿通孔５４内に挿通させれば、結束バンド５１を挿通孔５４に固定することが出来る。
【０００４】
次に、結束バンド５１を挿通孔５４に固定した後に、バンド部５３をワイヤハーネス固定部５２にワイヤハーネスと共に巻き付け、その先端部をロック部５８に挿通する。そして、ロック部５８からバンド部５３を引き出して締め付け、ロック部５８から引き出されたバンド部５３の先端部を適宜の長さを残して切断する。この状態で、係止突起５７が被係合部６１と係合してロック状態となると共に、係止突起５７が挿通孔５４の内壁の係止突起５５と係合して、バンド部５３の上方への移動が規制される。
【特許文献１】特開平０７−０９５７１４号公報（第３−４頁、第１図）
【発明の開示】
【発明が解決しようとする課題】
【０００５】
ところが、上記特許文献１では、結束バンド５１が挿通孔５４に固定された状態で、ロック部５８は挿通孔５４の軸方向の移動のみを規制されており、バンド部５３のロック部５８との接続部分の偏向により、ロック部５８のバンド挿通部分における孔方向が一定にならず、バンド部５３の切り口が移動してワイヤハーネスと干渉することにより、ワイヤハーネスを損傷する虞があった。
また、ロック部５８が枠壁５９上に配置されているために、ロック部５８が露出されており、それによって、他の部材に衝突してロックに緩みが生じる虞があった。
【０００６】
本発明は、上記事情に鑑みてなされたものであって、その目的は、ワイヤハーネスの損傷を防止するとともに、他の部材に衝突して結束バンドが緩むことを防止することにより、品質及び信頼性の向上を図ることができる結束バンドの固定構造を提供することにある。
【課題を解決するための手段】
【０００７】
１）本発明の結束バンドの固定構造は、バンド係止部をバンド挿通孔内に有するロック部と、前記ロック部から延出され、前記ロック部の前記バンド挿通孔内で前記バンド係止部に係合する係合部が長手方向に連続して複数形成されたバンド部と、を有し、前記バンド部によりワイヤハーネスを束ねてプロテクタに止着する結束バンドを前記プロテクタに固定する結束バンドの固定構造であって、前記プロテクタの側壁内部が、前記ロック部を収容し固定するロック部収容部と、前記ロック部に接続している前記バンド部の接続部を収容し、前記ロック部収容部に連通するバンド通し孔と、を備えていることを特徴とする。
【０００８】
前記１）に記載の結束バンドの固定構造によれば、結束バンドのロック部はプロテクタの側壁内部に設けられたロック部収容部に収容されるので、ロック部が外部に突出して露出することがなく、さらにロック部収容部内部で固定されるので、バンド挿通孔の孔方向を一定に固定することができる。従って、ワイヤハーネスに干渉して損傷することを防止するとともに、他の部材に衝突して結束バンドが緩むことを防止することができ、品質及び信頼性の向上を図ることができる。
【０００９】
なお、結束バンドとしては、例えば、可撓性を有する樹脂により一体に成形され、略立方体形状をなすロック部から帯状のバンド部が延出された樹脂ファスナーと呼ばれるものを例示できる。結束バンドは、バンド部が被結束物の周囲に巻かれてから、ロック部のバンド挿通孔内に挿通され、引き出されたバンド部が引張されることによって、バンド部の長手方向に形成された係合部が、ロック部のバンド係止部に引っ掛り、それによって、被結束物を束ねるのに用いられる。
【００１０】
２）本発明の結束バンドの固定構造は、前記１）に記載した結束バンドの固定構造において、前記ロック部収容部が、前記ロック部を当該ロック部収容部に挿入するための開口部と、前記バンド通し孔が連通され、前記ロック部と当接する当接面と、前記開口部に突出して前記ロック部と当接する第１壁、第２壁及び第３壁と、前記ロック部の前記バンド挿通孔を露出させて、前記バンド挿通孔が設けられた前記ロック部の側面と当接する第４壁と、を備えることを特徴とする。
【００１１】
前記２）に記載の結束バンドの固定構造によれば、結束バンドのバンド部をプロテクタのバンド通し孔に挿入してバンド部先端部を引き出すと同時に、ロック部が開口部を経てロック部収容部に挿入され、ロック部収容部の当接面に当接して固定される。さらに、第１壁、第２壁、第３壁、第４壁及び当接面により開口部側の１方を除いて残りの５方すべての移動を規制されるので、ロック部を確実に位置決めすることができる。
【発明の効果】
【００１２】
本発明の結束バンドの端部固定構造によれば、ワイヤハーネスの損傷を防止するとともに、他の部材に衝突して結束バンドが緩むことを防止することにより、品質及び信頼性の向上を図ることができる。
【発明を実施するための最良の形態】
【００１３】
以下、本発明に係る実施の形態例を図面に基づいて詳細に説明する。図１は本発明に係る結束バンドの端部固定構造の一実施形態を示す外観斜視図、図２は図１に示す結束バンドの端部固定構造の垂直断面図、図３は図１に示す結束バンドの端部固定構造におけるバンド部を挿入する前の外観斜視図、図４は図１に示す結束バンドの端部固定構造を用いたプロテクタの全体外観図である。
【００１４】
図１に示すように、本発明の一実施形態である結束バンドの固定構造は、バンド係止部(図２に示す)１３をバンド挿通孔１４内に有するロック部１１と、ロック部１１から延出され、ロック部１１のバンド挿通孔１４内でバンド係止部１３に係合する係合部１５が長手方向に連続して複数形成されたバンド部１２と、を有し、バンド部１２によりワイヤハーネス(図２に示す)３０を束ねてプロテクタ４０に止着する結束バンド１０をプロテクタ４０に固定する結束バンド１０の固定構造であって、プロテクタ４０の側壁の天板２３と底板２４の内部に、ロック部１１を収容し固定するロック部収容部１６と、ロック部１１に接続しているバンド部の接続部を収容し、ロック部収容部１６に連通するバンド通し孔１７とが備えられている。
【００１５】
また、前記保持部１６が、ロック部１１をロック部収容部１６に挿入するための開口部と、バンド通し孔１７が連通され、ロック部１６と当接する当接面１８と、前記開口部に突出してロック部１６と当接する第１壁１９と、  第２壁２０と、  第３壁２１と、ロック部１１のバンド挿通孔１４を露出させて、バンド挿通孔１４が設けられたロック部の側面と当接する第４壁２２とを有している。
【００１６】
また、バンド通し１７孔が、プロテクタ４０の天板２３と、底板２４との間に配されており、前記衝突面１８が、前記底板２４の端部に配されている。
【００１７】
結束バンド１０は、ロ字形状に形成されたロック部（頭部とも言う。）１１と、ロック部１１から板状をなして延出されたバンド部１２と、から構成されている。バンド部１２は、凹凸形状をなす係合部１５が長手方向に連続して複数形成されている。
【００１８】
保持部１６は、プロテクタ４０の一部に形成されており、保持部１６には、結束バンド１０のロック部１１が、バンド部１２を、図１中左後方に挿通した状態で、図１中手前側から挿入される。
【００１９】
保持部１６は、バンド部１２がロック部１１から延出するＸ軸方向に配された衝突面１８と、バンド部１２がロック部１１から延出する反Ｘ軸方向に配された第１壁１９と、ロック部１１の一方の側部にＹ軸方向に配された第２壁２０と、ロック部１１の他方の側部に第２壁２０に対向する反Ｙ軸方向に配された第３壁２１と、バンド部１２がロック部１１のバンド挿通孔１４に挿入されるＺ軸方向に配された第４壁２２と、からなる。
【００２０】
衝突面１８は、プロテクタ４０の端面４１から、ロック部１１のバンド部１２延出方向であるＸ軸方向における幅寸法よりもわずかに大きい長さだけ凹んだ位置に配されている。衝突面１８は、保持部１６に収容されたロック部１１のバンド部１２側端部が衝突することにより、Ｘ軸方向への移動を規制する。
【００２１】
第１壁１９は、衝突面１８に対向したプロテクタ４０の端面４１に連設されており、衝突面１８に対して、ロック部１１のバンド部１２延出方向であるＸ軸方向における幅寸法よりもわずかに大きい長さを介して配されている。第１壁１９は、保持部１６に収容されたロック部１１の反バンド部１２側端部が当接することにより、反Ｘ軸方向への移動を規制する。
【００２２】
第２壁２０は、プロテクタ４０の端面４１に直交して連設されており、ロック部１１のバンド部１２延出方向であるＸ軸方向に対するＹ軸方向の一方の側部に配されている。第２壁２０は、保持部１６に収容されたロック部１１のＹ軸方向への移動を規制する。
【００２３】
第３壁２１は、第２壁２０に対向して、プロテクタ４０の端面４１に直交して連設されており、反Ｙ軸方向の他方の側部に配されている。第３壁２１は、保持部１６に収容されたロック部１１の反Ｙ軸方向への移動を規制する。
【００２４】
第４壁２２は、第１壁１９に直交して第３壁２１に連設されており、バンド部１２がロック部１１のバンド挿通孔１４に挿入されるＺ軸方向に配されている。第４壁２２は、保持部１６に収容されたロック部１１のＺ軸方向への移動を規制する。
【００２５】
図２に示すように、ロック部１１には、バンド部１２を挿通させるバンド挿通孔１４が形成されており、バンド挿通孔１４の内面に、バンド係止部１３が形成されている。バンド係止部１３は、バンド挿通孔１４内に挿入されたバンド部１２の係合部１５に係止することにより、バンド部１２をロック部１１に固定する。
【００２６】
保持部１６は、天板２３と、底板２４との間にバンド通し孔１７を有する。バンド通し孔１７内には、バンド部１２が挿し込まれ、天板２３の上部にバンド部１２が引き出される。そして、底板２４の端部に衝突面１８が配されている。
【００２７】
保持部１６には、バンド部１２がバンド通し孔１７に挿入されつつロック部１１が収容される。すると、ロック部１１は、Ｘ軸方向が衝突面１８に、反Ｘ軸方向が第１壁１９に、Ｙ軸方向が第２壁２０に、反Ｙ軸方向が第３壁２１に、Ｚ軸方向が第４壁２２により、それぞれ囲まれて保持されて外部に露出しない。それにより、ロック部１１は、バンド挿通孔１４の孔方向が一定に設定される。そして、バンド部１２が、天板２３の上部に引き出されて、ワイヤハーネス３０の周囲を回され、保持部１６内に配置されたロック部１１のバンド挿通孔１４内に挿入される。それから、ロック部１１から引き出されたバンド部１２が反Ｚ軸方向に引張されることにより、係合部１５がバンド係止部１３に係止してバンド部１２がロック部１１に固定され、ワイヤハーネス３０が束ねられる。その後に、引き出されているバンド部１２の端部が所定の残り長さを置いて切断される。
【００２８】
図３に示すように、天板２３は後端部が切断されており、バンド通し孔１７は、両側に側壁２５，２５が配されているために、バンド部１１を天板２３の上部に引き出し易くなっている。
【００２９】
図４に示すように、プロテクタ４０は、複数のコネクタ固定部４２，４２，４２が端部に形成されており、これらコネクタ固定部４２，４２，４２に複数のコネクタ(不図示)が装着される。また、ロ字形状をなす内部に複数のコネクタ固定部(不図示)が形成されており、これらコネクタ固定部に複数のコネクタ(不図示)が装着される。そして、複数のコネクタから引き出されたワイヤハーネス３０の一部が、保持部１６において保持されている結束バンド１０により結束されてプロテクタ４０に固定される。
【００３０】
上述したように、本実施形態の結束バンド１０の端部固定構造によれば、結束バンド１０のバンド部１２がバンド通し孔１７に挿通され、プロテクタ４０の一部にロック部１１の外形に近似して凹んで形成された保持部１６内にロック部１１が配置されてから、ワイヤハーネス３０への結束に伴ってバンド部１１の係合部１５がロック部１１のバンド係止部１３に係止されることにより、ロック部１１が衝突面１８に衝突して、ロック部１１が保持部１６内に保持される。そして、ロック部１１は、バンド挿通孔１４の孔方向が一定に設定される。従って、ワイヤハーネス３０自身又は周辺の他のワイヤハーネス（不図示）に干渉することがなくなるとともに、突出せずに配されるために他の部材に衝突することがなくなる。これにより、ワイヤハーネスを損傷することがないとともに他の部材に衝突することがなくなって品質の向上を図ることができる。
【００３１】
また、本実施形態の結束バンド１０の端部固定構造によれば、ロック部１１は、衝突面１８によりＸ軸方向への移動が規制され、第１壁１９により反Ｘ軸方向への移動が規制され、第２壁２０によりＹ軸方向への移動が規制され、第３壁２１により反Ｙ軸方向の移動が規制され、第４壁２２によりＺ軸方向への移動が規制される。これにより、ロック部１１が、周りの５方すべてへの移動を規制されるので、ロック部１１を、位置ずれすることなく確実に位置決めすることができる。
【００３２】
また、本実施形態の結束バンド１０の端部固定構造によれば、バンド通し孔１７にバンド部１２が挿通されることにより、バンド通し孔１７を形成する底板２４の端部で衝突面１８に衝突される。そのため、衝突面１８を別構成で形成する必要がなくなるので、生産性の向上を図ることができる。
【００３３】
なお、本発明は、前述した実施形態に限定されるものではなく、適宜、変形、改良等が可能である。例えば、プロテクタの形状は、何ら限定されるものではなく、それを装着する車両のスペース条件等により、選択設定される。もちろん、その場合にも、凹み形状にして保持部を形成すれば良い。
【図面の簡単な説明】
【００３４】
【図１】本発明に係る結束バンドの端部固定構造の一実施形態を示す外観斜視図である。
【図２】図１における結束バンドの端部固定構造の垂直断面図である。
【図３】図１における結束バンドの端部固定構造においてバンド部を挿入する前の外観斜視図である。
【図４】図１における結束バンドの端部固定構造を用いたプロテクタの全体外観図である。
【図５】従来の結束バンドの端部固定構造の外観図である。
【符号の説明】
【００３５】
１０  結束バンド
１１  ロック部
１２  バンド部
１３  バンド係止部
１４  バンド挿通孔
１５  係合部
１６  保持部
１７  バンド通し孔
１８  衝突面
１９  第１壁
２０  第２壁
２１  第３壁
２２  第４壁
２３  天板
２４  底板
３０  ワイヤハーネス
４０  プロテクタ
【図１】
2005160223.tif 000003
【図２】
2005160223.tif 000004
【図３】
2005160223.tif 000005
【図４】
2005160223.tif 000006
【図５】
2005160223.tif 000007